(57)【特許請求の範囲】
【請求項１】
特には航空機又は自動車又はフェリーの座席であって、
座席構造（１２）において床に対して垂直に設置される座席部分（１０）であって、前記床に平行である水平方向において、後端部領域と、前記後端部領域に対向する前端部領域とを有していて且つその前端部領域に支持部分（１８）を具備する、座席部分（１０）を有する座席において、
前記支持部分（１８）は、フレキシブルに製作され、前もって決められた座席荷重（Ｆ）が作用すると、前記座席構造（１２）の方向において移動可能であり、更に荷重がない場合には、前記座席構造（１２）から離れて逆方向に、その初期の位置に移動して戻り、
前記座席部分（１０）の前記前端部領域の面は、前記水平方向に垂直な方向に沿って連続しており、
前記支持部分（１８）は、前記座席部分（１０）の前端部領域に固定状態で且つ直接的に連結されるので、前記支持部分（１８）と前記座席部分（１０）の前記前端部領域との間で円滑な移行部を形成することを特徴とする座席。
【請求項２】
前記フレキシブルな支持部分（１８）は、バネとして設計されており、前記バネは一方の端部（２０）が自由に移動可能であり、そのもう一方の端部（２２）は前記座席部分（１０）の一部及び前記座席構造（１２）の要素の内の少なくとも一方に固定されることを特徴とする請求項１に記載の座席。
【請求項３】
前記バネの特性を維持するために、前記支持部分（１８）は、薄板状金属材料、熱可塑性材料及び繊維状複合体の内の少なくとも一つからフレキシブルな支持板として形成されることを特徴とする請求項２に記載の座席。
【請求項４】
前記支持部分（１８）は座席シェル（２４）との一体式構成要素であり、前記座席シェル（２４）は、前記座席部分（１０）の発泡クッション（２８）を支えており、前記発泡クッション（２８）は、その一方の側において前記支持部分（１８）に重なっており、更に対向する別の側において、前記座席構造（１２）は、前記支持部分（１８）のための少なくとも１つの支持部位を形成することを特徴とする請求項１から３のいずれか一項に記載の座席。
【請求項５】
それぞれの前記支持部位を形成する前記座席構造（１２）は、前記支持部分（１８）に面する、少なくともその側部において、凸状に設計される、支持部材（１４）を形成しており、前記支持部材（１４）の構成により、前記支持部分（１８）と前記支持部材（１４）との間における相対的滑動を可能にすることを特徴とする請求項４に記載の座席。
【請求項６】
前記支持部分（１８）及び前記支持部材（１４）の内の少なくとも一つは、膨張部を有しており、支持部材（１４）の２つの自由端に対して、支持部位が前記膨張部に形成されており、
支持荷重の下で、前記２つの支持部位間にある前記膨張部は低くなることを特徴とする請求項４又は５に記載の座席。
【請求項７】
前記座席構造（１２）は、その後端部において前記座席部分（１０）の長手方向に対して横に伸張する別の支持部材（１６）を有しており、更に
前記座席部分（１０）は、前記別の支持部材（１６）により前記座席構造（１２）に確実に接続されるか又は、
少なくとも前記支持部材（１４）は、滑り軸受けの1つのタイプとして、前記座席部分（１０）と前記座席構造（１２）との間における相対的運動を可能にすることを特徴とする請求項５又は６に記載の座席。
【請求項８】
前記支持部分（１８）は、荷重のない状態において、前記座席の前縁に向かう方向において上方向を向く、面を形成しており、更に
前記支持部分（１８）は、荷重が十分に作用した状態において、前記床に平行に伸張するか、あるいは前記床の方向を向く曲線形状を形成することを特徴とする請求項１から７のいずれか一項に記載の座席。
【請求項９】
前記床に平行な前記水平方向は、航空機又は自動車又はフェリーの前進方向を向いていることを特徴とする請求項１に記載の座席。
【請求項１０】
前もって決められた荷重が下向きに作用する状態において、前記支持部分（１８）は、前記前もって決められた荷重の少なくとも一部を前記座席部分の前端部領域に伝達して、前記床に垂直な方向において、前記座席部分の前端部領域の曲率を増大させることを特徴とする請求項１に記載の座席。
【請求項１１】
前記座席部分（１０）の前端部領域の面は、前記座席部分（１０）の最大幅と同じ幅を有することを特徴とする請求項１に記載の座席。
【請求項１２】
前記支持部分（１８）は、機械的負荷がない状態では、前記座席構造（１２）との間に間隔が生じることを特徴とする請求項１に記載の座席。
【請求項１３】
前記座席部分（１０）の前端部領域の面は、水平方向で計測した場合に、前記座席部分（１０）の深さの少なくとも１／３の深さを有しており、
前記前端部領域は、前記水平方向において、前記座席部分（１０）の前記後端部領域に対向して配置されることを特徴とする請求項１に記載の座席。
【請求項１４】
前記座席は、クッション部分を具備しており、
前記クッション部分は、前記座席部分（１０）とは識別可能であり、
前記座席部分（１０）は、前記床に面する底面と、前記クッション部分の少なくとも一部を収容する上面とを有しており、
前記上面は、前記床に垂直な方向において、前記底面に対向することを特徴とする請求項１に記載の座席。
【請求項１５】
前記支持部分（１８）は、前記床に対面する底面と、前記クッション材料部の少なくとも一部を収容するためであって且つ前記床に垂直な方向において前記底面に対向する、上面と、を有しており、
前記支持部分（１８）の前記上面は、前記座席部分（１０）の前記前端部領域の座席部分（１０）の上面に平行であることを特徴とする請求項１に記載の座席。
【発明の詳細な説明】
【技術分野】
【０００１】
本発明は、特には航空機又は自動車等の座席に係り、床に対して座席構造において垂直に設置され、且つその前部に支持部を具備する差席部分を有する座席に関する。
【背景技術】
【０００２】
特には、長距離飛行、あるいは例えばフェリーによる航行等の非常に長い航行において、航空機及びフェリーの旅行用品商の一般的な目的は、座席占有者、従って輸送されるべき旅行者の居心地を向上することである。特には、ファーストクラス及びビジネスクラスの旅客は、その要望は満足させられて然るものであるという、彼らが望むものに関して相当する思想を有する。旅行者の間の傾向として、航行時間を有意義な休養又は睡眠に使用できるようにして、例えば長距離飛行等の目的地における時差ぼけに有効に対処しようとしている。
【０００３】
DE100 91 484 A1は、特には航空機の旅客用座席等の乗物の座席であって、少なくとも１つの調整装置によりお互いに対して移動可能に保持される、座席部分及び背凭れを有する座席を開示する。その場合に、既知の案において、それぞれの調整装置は、少なくとも部分的に、座席構造としての棒状（ロッド）支持枠構造（フレームワーク）により、お互いに接続する幾つかの関節を有しており、それ（関節）は、座席部分を支持し、作動手段により横方向の動きを実行して、座席部分は、初期の位置から、休養及び睡眠に使用される別の位置へ、更にはその逆へ、移動可能であり、それは、取り付けられた関節及び棒状枠構造の棒状部分の数量に依存する。動きに関する可能性の数量、従って座席部分に関する動きの自由度の数は、既知の案に比べて、格段に大きなものであるので、座席部分及び背もたれの位置決めは、非常に広い調整範囲において可能である。その場合、既知の座席は、旋回する脚と足の台を有しており、脚部分の底部、特には座席占有者の大腿部の底部は、楽にされるので、血管の横断面積を小さくする有害な圧迫更には血栓症の危険は軽減される。適切な座席の価格に基づいて、更にそれらの空間と重量要求に対して、それらは基本的に、ファーストクラス及びビジネスクラスにおいてのみ使用されており、エコノミクラスについては容易に使用可能ではない。また、既知の座席設計では、同様に、特に座席が垂直状態（離陸位置）にあり、更に対応する支持のために折りたたまれた血管の横断面を楽にする脚と足の台が使用できない場合において、血管は負担に晒される。
【発明の開示】
【０００４】
この従来技術に基づいて、本発明は、特には航空機又はフェリー又は車両用座席等の、広範に使用可能な座席であって、従来技術の上記の欠点を有さず、特には長距離の旅行における血栓症の危険を回避できる、座席を考案することを目的としている。本発明の目的は、請求項１の形態の全てを有する座席により実現される。
【０００５】
そこでは、請求項１の特徴部分に規定されるように、支持部分は、フレキシブルに製作され、前もって決められた座席荷重において、座席構造の方向において移動可能であり、更に荷重がない場合には、座席構造から離れて逆方向に、その初期の位置に移動して戻る。座席は、前区域を有して形成されており、その前区域はフレキシブルに保持されるので、座席占有者により適用されるそれぞれ座席荷重に依存して、座席部分の前記前区域は、降伏（イールド）し、このようにして、座席占有者の大腿部の底部に作用する圧縮力を軽減し、その結果、この部位の血管の横断面は小さくさせられないので、それらの横断面はその後、血液の循環を混乱させない状態で、従がって血栓症の危険が明らかに軽減される状態で保持される。本発明の請求項に記載の案により、任意の座席位置における大腿部の最大支持面積が、結果的に保持されて、その際、主に大腿部の底部の前方区域において圧縮力が回避され、更には大腿部の底部に作用する有害なせん断力もやはり防止される。減少された適切なせん断力は、より急峻に設定された座席角度が必要な垂直座席位置（離陸位置）に比べて、座席の後に傾いた位置において、大腿部の部位において特に生じる。しかし、このより大きな座席角度は、脚が伸ばされた場合に、大腿部の底部への圧力を増加させて、既に記載したように、座席占有者に対して血栓症のリスクを増大させる危険を伴う。このせん断力の発生は、座席部分の前区域の降伏する容量により、信頼可能に回避される。
【０００６】
適切な「健康に良い座席」はまた、例えばバス等の自動車の分野において使用可能であるが、しかしこれとは別の用途が、医療治療用椅子の分野、及び歯科医術において考えられる。また、座席の居心地の良さはまた、大腿部の底部を楽にするための足台及び旋回する脚部を装備する座席に関して向上する。これらの座席の居心地の良さは、もちろん直立位置において、このようにしてより以上に向上させることができる。
【０００７】
本発明の請求項に記載の１つの好適な実施の形態において、フレキシブルな支持部分は、バネとして設計されており、前記バネは一方の端部が自由に移動可能であり、そのもう一方の端部は前記座席部分及び前記座席構造の要素の内の少なくとも一方に固定される。もしこのバネが矩形の葉状（薄板）バネとして設計される場合には、これは荷重が作用する自由な台として認識可能であり、曲げ応力は、支持地点においてその最高値を示しており、後者（支持地点）からの距離を増大して一定に減少する。支持部分は、そのフレキシブルな形態において、熱可塑性材料により形成されることが好ましいが、繊維状（ファイバー）複合体、特には繊維状（ファイバー）複合体構造により形成されることも好ましく、繊維状（ファイバー）複合体構造は、座席部分の発泡（フォーム）クッションを支持する、座席シェル（殻）の一体式構成要素であることが好ましく、このようにして、座席占有者の着座状態における居心地の良さに貢献する。
【０００８】
これとは別の有利な実施の形態は、別の従属請求項の形態である。
本発明の請求項に記載の座席は、図式図の形式で且つ寸法どおり記載されていない図面に示される１つの実施の形態を使用して以下で詳細に説明される。
【発明を実施するための最良の形態】
【０００９】
本発明の請求項に記載の座席は、特には航空機用座席として形成されており、旅客用座席として形成されることが好ましい。図１に示されるように、側面図において、全体の座席の内、特には座席部分だけが、そこでは示されており、その座席部分は全体が番号１０として指定される。特には、単純化するために、背もたれ及び／又は任意の脚と足の台は図示されていない。適切な座席部分１０は従って、座席構造１２により、詳述されていない車両の床又は航空機の客室（キャビン）デッキに対して垂直で、直立して設置される。実際の座席構造１２に関して、図１に示されるように、２つの上部横部材だけが、支持部材１４，１６として図示される。前支持部材１４の区域の前部において、座席部分１０は、フレキシブルに（可撓性を有して）製作された支持部分１８を有しており、その支持部分１８は、定義可能な座席荷重Ｆ（即ち、図２の矢印）が作用すると、座席構造１２の方向で、特には前支持部材１４の形で、移動する。従って除去された場合に、フレキシブルな支持部分１８は結局、図２に示すその位置から、図１に示すその初期位置へ、逆の方向で戻り、そこでは支持部分１８の底部から、前支持部材１４の頂部までの定義可能な距離が形成されており、適切な距離は支持部分１８の全幅にわたり保証される必要はないが、しかしそれは、座席占有者の大腿部の底部の支持区域においてこの距離を確保することを、満足させることができることが好ましい。この件については、以下で詳述する。
【００１０】
フレキシブルな支持部分１８は、バネとして設計されており、そのバネは、図示されるように、一方の端部２０が自由に移動可能であり、もう一方の端部２２が残りの座席部分１０の要素、及び／又はこれとは別に座席構造１２の一部分に固定可能である。また、指示された曲げ又は薄板（葉状）バネ特性を形成するために、支持部分１８は、フレキシブルな支持板として設計され、更に例えば薄板（シート）状金属材料により形成可能である。しかし安全工学の理由及び重量軽減の理由から、指示された支持板は熱可塑性材料により形成されることが好ましく、支持部分１８を、例えば、炭素繊維（ファイバー）のファイバー複合体構造、kevlar（登録商標）等の形のファイバー複合体材料から形成することが、特に利点があることが分かった。金属製薄板（葉状）バネ部分はまた、同時に支持のためのファイバー複合体に積層形成可能である。
【００１１】
製造工学の観点から、支持部分１８を実際の座席シェル（殻）２４の一体式構成要素として形成することが、特に利点があることが分かった。この座席シェル（殻）２４は、上からの立体図として図４に特に示されており、一体形態において、板状の支持部分１８が座席シェル（殻）２４の前横側部２６に沿って伸張する。この座席シェル（殻）２４は、特には発泡状（フォーム）クッション２８を保持するように使用されており、そのクッション２８は、居心地を向上させ、非燃焼性ポリウレタンフォーム（発泡体）により形成されることが好ましい。更に図１から３に示すように、捕獲状（又は引っ掛け式）突起３０を有する発泡クッション２８はその前端部２０に沿ってフレキシブルな支持部分１８に重なっており、支持部分１８は、基本的に凹部の一体式構成要素であり、ポリウレタンフォーム（発泡）クッション２８の底部において伸張する。
【００１２】
発泡クッション２８と支持部分１８との間の相対的な長さを保持するために、支持部分１８の区域において、発泡クッション２８の一部が、単に支持部分１８に設置され、発泡クッション２８の残りの部分は、座席シェル（殻）２４内に保持される。支持部分１８に重なる発泡クッション２８に対向する支持部材１８の側部において、負荷荷重（矢印Ｆの力）が作用すると、横に伸張する前支持部材１４により形成される支持部位の頂部において、支持部分１８の底部を下支えすることができる。指示された支持部位は、図２と対照的に、前支持部材１４の頂部の全体支持面により形成可能であるが、しかし前支持部材１４まで横に伸張して、大きくされた膨張部を有する状態で、その中心の方向において板状の支持部分１８を形成することも可能であり、その結果、この区域において、支持部分１８のバネ剛性は最大であり、前支持部材１４における支持部位に向かう外側の方向で減少する。従って、座席荷重に依存して、前支持部材１４のいずれかの端部に向かう大腿部の支持により、滑動が発生するので、力の作用は特に穏やかである。これとは別に又はこれに加えて、前支持部材１４の形態により、所望の中央の膨張部を形成することも可能である。
【００１３】
また、図２を見る方向で分かるように、荷重状態において、支持部分１８は、少し曲がって伸張するように形成されるので、支持又は設置区域において、支持部分１８と前支持部材１４との間における相対的滑動が、支持部分１８の長手方向において形成される。荷重状態におけるこの曲線は、図２に更に示されるように、座席シェル（殻）２４の前壁区域内に同時に収容され、従ってこのように、調和した力が、支持部分１８から座席シェル（殻）２４までの移行部２６の区域において作用する。
【００１４】
更に座席構造１２は、その背部端部に沿って座席部分１０まで同様に横に伸張する、後支持部材１６を有しており、この別の支持部材１６により、座席部分１０は座席構造１２に確実に接続される。しかし、もし所望される座席の調整動作は、座席部分１０がその２つの支持部材１４，１６を有する静止した座席構造１２に対する相対的関係で、対応する横のガイド（図示されない）により、移動するものである場合には、これは同様に、弾力性のある支持部分１８の機能に悪影響を与えることなく、実現可能である。更に図１に示されるように、荷重が作用しない状態において、支持部分１８は、座席の前縁の方向において上昇する面を形成しており、座席占有者にとって、特に背もたれが持ち上げられた状態の離陸フェーズ（段階）にある場合において、これは良好な支持を提供する。図２に示すように、大腿部による荷重により、支持部分１８が前支持部材１４の頂部において支持する目的で下げられる場合でさえも、座席部分の前記上昇する面は、少なくとも、ポリウレタン発泡クッション２８の頂部上に保持される。
【００１５】
本発明の請求項に記載される座席のフレキシブルな前縁は、重量の軽減を促進する発泡体２８の比較的小さな発泡の厚みにより、座席占有者に対する高度な適応性が確保されるという利点を有する。支持部分１８のフレキシブルな降伏（イールド）容量により、大腿部の区域におけるせん断力はまた、後に傾けられた座席位置において大幅に低減されており、従って血管の横断面は楽な状態になるので、血栓症の危険は明らかに低下する。
【図面の簡単な説明】
【００１６】
【図１】図１は、座席部分の側面図であり、荷重が作用しない状態を示す。
【図２】図２は、座席部分の側面図であり、矢印Ｆの力で表される荷重が作用する状態を示す。
【図３】図３は、図１と２に対応する立体図であり、一方の上に他方がある状態を示す。
【図４】図４は、発泡クッションがない状態の、図３に対応する立体図であり、同様に一方の上に他方がある状態を示す。
【図１】
0004589300.tif 000002
【図２】
0004589300.tif 000003
【図３】
0004589300.tif 000004
【図４】
0004589300.tif 000005